(57)【要約】【課題】簡単な構造で、安価な分電盤の充電部保護カバーを提供することを目的としている。【解決手段】本発明に係る分電盤の充電部保護カバー取り付け構造は、導電バー上に取り付け可能である固定台と、ブレーカの端子を被覆する端子カバーに設けられた固定穴とにより、充電部保護カバーで充電部を施蓋することを特徴とし、主幹ブレーカと主幹導電バーの位置や、主幹導電バーと接続導電バーの高さの相違に関わらず、同じ充電部保護カバーで充電部を施蓋することができる。【選択図】図１
2008253040.tif 000002
【特許請求の範囲】
【請求項１】
主幹ブレーカや分岐ブレーカ等の各種電気機器を配置し、該電気機器間を導電バーで接続して成る分電盤の充電部を保護するための充電部保護カバーの取り付け構造であって、
前記導電バー上に取り付け可能である固定台と、前記ブレーカの端子を被覆する端子カバーに設けられた固定穴とにより前記充電部保護カバーを固定可能とし、前記充電部を施蓋することを特徴とする充電部保護カバーの取り付け構造。
【発明の詳細な説明】
【技術分野】
【０００１】
本発明は、主幹ブレーカや分岐ブレーカ等の各種電気機器を配置し、電気機器間を導電バーで接続して成る分電盤の充電部を保護するための充電部保護カバーの取り付け構造に関するものである。
【背景技術】
【０００２】
従来、充電部の保護カバー３１は、充電部を支持する充電部支持台３２の先端に突起部３３を延設し、保護カバー３１に設けた開口３４に差し込んで引っ掛け、充電部を施蓋し保護していた。
【特許文献１】特開２００１−１４５２１６号公報
【発明の開示】
【発明が解決しようとする課題】
【０００３】
しかしながら、上記従来技術における充電部保護カバー３１の取り付け構造では、充電部保護カバー３１は充電部支持台３２に引っ掛けられているだけで固定されていないので、輸送時の振動や、人が不意に触れた場合に、充電部保護カバー３１が外れてしまう虞があり、取り扱いに注意が必要であった。また、充電部支持台３２の位置にしか充電部保護カバー３１が取り付けられないため、例えば、主幹ブレーカ３５と主幹導電バー３６が同一直線上にない場合には、充電部を保護することができなかった。
【課題を解決するための手段】
【０００４】
そこで本発明は、簡単な構造で、安価な分電盤の充電部保護カバーを提供することを目的とし、その構造は、導電バー上に取り付け可能である固定台と、ブレーカの端子を被覆する端子カバーに設けられた固定穴とにより充電部保護カバーを固定可能とし、充電部を施蓋することを特徴とする。
【発明の効果】
【０００５】
本発明に係る充電部保護カバーは、導電バー上に取り付け可能である固定台と、ブレーカの端子を被覆する端子カバーに設けられた固定穴とにより、充電部保護カバーで充電部を施蓋するため、簡単な部品で構成できることにより安価に充電部保護カバーが提供できる。また、充電部保護カバーは取り付けに必要な部品も少なく、取り付け作業も容易に行える。端子カバーを用いて充電部保護カバーが取り付けられるため、主幹ブレーカと主幹導電バーが同一直線上にない場合でも、主幹導電バーと接続導電バーとの高さが異なる場合でも、同じ充電部保護カバーで充電部を施蓋することができる。
【発明を実施するための最良の形態】
【０００６】
本発明に係る分電盤の充電部保護カバーの実施例を図１〜図３の添付図面に基づいて説明する。
【０００７】
分電盤１は、主幹ブレーカ２や分岐ブレーカ３等の電気機器を配列し、これら電気機器間は導電バーや電線で接続し、この接続部分は充電部と呼ばれている。通電中に誤って触れると感電事故を起こしたりする虞があるため、充電部の上部は充電部保護カバー４で施蓋する。電気機器の配列は、通常、主幹ブレーカを中央部に配置し、主幹ブレーカの直下に主幹導電バーを接続して主幹導電バーの左右に分岐ブレーカを配置することが多い。しかし、送り回路やタイムスイッチ等のを配置したい場合、分電盤１は省スペースで収めたいため、主幹ブレーカ２の直下に主幹導電バー５を配列せず、主幹ブレーカ２をどちらかに寄せて、分電盤１の中央部に配置される主幹導電バー５に接続導電バー６を介して接続することもある。
【０００８】
主幹ブレーカ２の端子部２ａには端子カバー７を取り付け、端子部２ａを保護する。この端子カバー７の前面端部には固定穴７ａを設ける。
【０００９】
また、主幹導電バー５上には、分岐導電バー８を接続するための接続穴９に取り付け可能である固定台１０が設置可能である。固定台１０は、主幹導電バー５の幅寸法に対向する溝１０ａを有し、主幹導電バー５に固定する螺子挿通孔１０ｂと、充電部保護カバー４を固定するためのねじ穴１０ｃとを形成している。主幹導電バー５上に固定台１０を、溝１０ａを主幹導電バー５に対向させ螺子挿通孔１０ｂと、主幹導電バー５の接続穴９とにそれぞれ固定ねじ１１を挿通し締め付け固定する。
【００１０】
主幹ブレーカ２と分岐ブレーカ３は一直線状にない場合でも、接続導電バー６と主幹導電バー５とで構成される充電部に合わせて略Ｌ字状の充電部保護カバー４を形成する。充電部保護カバー４には、端子カバー７に設けられた固定穴７ａと、固定台１０に設けられたねじ穴１０ｃとにそれぞれ対向する位置に取り付け穴４ａを設ける。充電部に充電部保護カバー４を載せ、取り付け穴４ａと固定穴７ａ、取り付け穴４ａとねじ穴１０ｃとにそれぞれねじ１２を挿通し、充電部保護カバー４を取り付ける。
【００１１】
主幹ブレーカの端子部に取り付けられる端子カバーと、主幹導電バーに取り付けられた固定台とで支持されるため、接続導電バーと主幹導電バーとの配列高さが異なっていても、固定台の寸法で調節が可能であり、充電部保護カバーが取り付け可能である。
【００１２】
固定台１０の、充電部保護カバー４に対向する面に、突起１０ｄを設ける。充電部保護カバー４の、突起１０ｄに対向する位置に突起穴４ｂを形成すると、充電部保護カバー４を取り付けるときに、その取り付け位置の決定がしやすくなる。
【００１３】
充電部保護カバー４は、施蓋する充電部の形状に合わせて適宜変更する。例えば、図１に示すように、主幹ブレーカ２から直線的に主幹導電バー５が接続されず、左右にずれた位置に配置されている場合には、接続導電バー６と主幹導電バー５とを施蓋できるように、略Ｌ字状に形成された充電部保護カバー４を用いる。また、主幹ブレーカから直線状に主幹導電バーが接続されている場合には、直線形状の充電部保護カバーを用いる。
【００１４】
また、充電部保護カバーはねじ止めされるため、振動や不意に接触してしまったときの衝撃などによる脱落が回避でき、安全であり、容易に取り付けられる。
【産業上の利用可能性】
【００１５】
充電部保護カバーで充電部を保護し、さらにその上から配線覆いで被覆することも可能で、配線覆いを開放した状態での分電盤の点検や確認の際に誤って作業者が充電部に触れてしまうことを避けることができる。
【図面の簡単な説明】
【００１６】
【図１】本発明に係る充電部保護カバーの取り付け構造の実施例を示す説明図である。
【図２】図１における分電盤の断面図である。
【図３】図１における分電盤の正面図である。
【図４】従来の充電部保護カバーの取り付け構造を示す説明図である。
【符号の説明】
【００１７】
１      分電盤
２      主幹ブレーカ
２ａ    端子部
３      分岐ブレーカ
４      充電部保護カバー
４ａ    取り付け穴
４ｂ    突起穴
５      主幹導電バー
６      接続導電バー
７      端子カバー
７ａ    固定穴
８      分岐導電バー
９      接続穴
１０    固定台
１０ａ  溝
１０ｂ  螺子挿通孔
１０ｃ  ねじ穴
１０ｄ  突起
【図１】
2008253040.tif 000003
【図２】
2008253040.tif 000004
【図３】
2008253040.tif 000005
【図４】
2008253040.tif 000006